(57)【要約】【課題】  本発明は、表示装置及び表示装置の表示方法に関し、例えば携帯電話、ノートパソコン等に適用して、視認性の劣化を有効に回避して、バッテリを長もちさせることができるようにする。【解決手段】  本発明は、各画素が自ら発光して画像を表示する形式による表示手段を適用して、バッテリの残量の減少により、表示手段における表示可能領域より画像の表示に供する表示領域を縮小させる。【選択図】        図１
2005055791.tif 000002
【特許請求の範囲】
【請求項１】
バッテリの電力により動作して表示手段に画像を表示する表示装置において、
前記表示手段が、
各画素が自ら発光して画像を表示する形式による表示素子による表示手段であり、
前記バッテリの残量の減少により、前記表示手段における表示可能領域より前記画像の表示に供する表示領域を縮小させて前記画像を表示する
ことを特徴とする表示装置。
【請求項２】
前記表示領域の縮小が、
前記画像の内容に応じた横方向又は縦方向の縮小である
ことを特徴とする請求項１に記載の表示装置。
【請求項３】
前記画像が、
横書きによる画像であり、
前記表示領域の縮小が、
縦方向の縮小である
ことを特徴とする請求項１に記載の表示装置。
【請求項４】
前記表示領域の縮小が、
横方向及び縦方向の縮小であり、
操作子の操作に応動して前記表示領域を可変する
ことを特徴とする請求項１に記載の表示装置。
【請求項５】
前記表示領域の縮小に対応して表示に供するフォントを縮小する
ことを特徴とする請求項１に記載の表示装置。
【請求項６】
バッテリの電力により動作して表示手段に画像を表示する表示装置の表示方法において、
前記表示手段が、
各画素が自ら発光して画像を表示する形式による表示素子による表示手段であり、
前記バッテリの残量の減少により、前記表示手段における表示可能領域より前記画像の表示に供する表示領域を縮小させて前記画像を表示する
ことを特徴とする表示装置の表示方法。
【発明の詳細な説明】
【技術分野】
【０００１】
本発明は、表示装置及び表示装置の表示方法に関し、例えば携帯電話、ＰＤＡ（Personal Digital Assistants ）、ノートパソコン等に適用することができる。本発明は、各画素が自ら発光して画像を表示する形式による表示手段を適用して、バッテリの残量の減少により、表示手段における表示可能領域より画像の表示に供する表示領域を縮小させることにより、視認性の劣化を有効に回避して、バッテリを長もちさせることができるようにする。
【背景技術】
【０００２】
従来、携帯電話、ＰＤＡ等の情報携帯端末装置においては、バッテリの電源により動作するように構成され、これにより携帯して利用できるようになされている。また液晶表示装置により各種の情報を表示してバッテリによる電力の消費を少なくするようになされている。
【０００３】
このような液晶表示装置に係る機器に関して、例えば特開２００２−３７４３４９号公報には、バッテリの残量が少なくなると、液晶表示装置のバックライトを構成する一部一次光源を消灯させて電力消費を少なくする方法が提案されるようになされている。この方法によれば、残り少なくなったバッテリを長もちさせることができる。
【０００４】
しかしながらこのように一部一次光源を消灯させて電力消費を少なくすると、表示画面の明るさも低下し、著しく視認性が劣化する問題があり、これにより極端な場合、例えば電子メールを表示し得たものの、その内容を確認できなくなる。
【特許文献１】特開２００２−３７４３４９号公報
【発明の開示】
【発明が解決しようとする課題】
【０００５】
本発明は以上の点を考慮してなされたもので、視認性の劣化を有効に回避して、バッテリを長もちさせることができる表示装置及び表示装置の表示方法を提案しようとするものである。
【課題を解決するための手段】
【０００６】
係る課題を解決するため請求項１の発明においては、バッテリの電力により動作して表示手段に画像を表示する表示装置に適用して、表示手段が、各画素が自ら発光して画像を表示する形式による表示素子による表示手段であり、バッテリの残量の減少により、表示手段における表示可能領域より画像の表示に供する表示領域を縮小させて画像を表示する。
【０００７】
また請求項６の発明においては、バッテリの電力により動作して表示手段に画像を表示する表示装置の表示方法に適用して、表示手段が、各画素が自ら発光して画像を表示する形式による表示素子による表示手段であり、バッテリの残量の減少により、表示手段における表示可能領域より画像の表示に供する表示領域を縮小させて画像を表示する。
【０００８】
請求項１の構成によれば、バッテリの電力により動作して表示手段に画像を表示する表示装置に適用して、表示手段が、各画素が自ら発光して画像を表示する形式による表示素子による表示手段であり、バッテリの残量の減少により、表示手段における表示可能領域より画像の表示に供する表示領域を縮小させて画像を表示すれば、バッテリの残量の減少により消費電力を低減することができ、バッテリを長もちさせることができ、また表示手段が、各画素が自ら発光して画像を表示する形式による表示素子により画像を表示する表示手段であることにより、このようにしても視認性の劣化を防止することができる。
【０００９】
これにより請求項６の構成によれば、視認性の劣化を有効に回避して、バッテリを長もちさせることができる表示装置の表示方法を提供することができる。
【発明の効果】
【００１０】
本発明によれば、視認性の劣化を有効に回避して、バッテリを長もちさせることができる。
【発明を実施するための最良の形態】
【００１１】
以下、適宜図面を参照しながら本発明の実施例を詳述する。
【実施例１】
【００１２】
（１）実施例の構成
図２は、本発明の実施例に係る携帯電話を示すブロック図である。この携帯電話１において、送受信回路２は、中央処理ユニット（ＣＰＵ）３の制御によりアンテナ４を介して所定のデータを送受することにより、中央処理ユニット３に着信を通知し、またこの通知による中央処理ユニット３の制御により一連の回線接続処理を実行する。また同様の中央処理ユニット３の制御により所望の通話対象に対して発呼を送出して回線接続処理を実行する。またこのような回線接続処理を完了すると、通話対象から得られる音声データによりスピーカ５を駆動し、またマイク６より得られる音声信号を音声データにより通話対象に送出する。これによりこの携帯電話１では所望の通話対象との間で通話できるようになされている。また送受信回路２は、同様のデータ通信により電子メールを送受し、さらにはインターネットより所望のデータを取得するようになされている。
【００１３】
撮像部８は、例えばＣＣＤ（Charge Coupled Device ）等による撮像素子、この撮像素子の駆動回路等により構成され、中央処理ユニット３の制御によりユーザーの所望する被写体の撮像結果を出力する。
【００１４】
バッテリ９は、この携帯電話１の電源を供給する二次電池であり、中央処理ユニット３の制御により図示しない外部電源により内蔵の二次電池セルを充電し、またこの二次電池セルの電力をこの携帯電話１に供給するようになされている。バッテリ９は、このような二次電池セルの充放電において、中央処理ユニット３により端子電圧が監視され、この二次電池セルの残量が検出されるようになされている。
【００１５】
表示部１０は、電話番号等の通話対象に係る情報、撮像部８による撮像結果、電子メール、地図等を表示する表示手段であり、この携帯電話１では各画素が自ら光を発光させてこのような画像を表示する自発光型の表示素子により構成される。この表示部１０においては、具体的に有機ＥＬ（Electro Luminescence）パネル１１Ａ、この有機ＥＬパネルの信号線及びゲート線をそれぞれ駆動するドライバ１１Ｂ及び１１Ｃ、これらドライバ１１Ｂ、１１Ｃの動作を制御するコントローラ１１Ｄにより構成され、中央処理ユニット３により指示される画像を表示するようになされている。ここでこの有機ＥＬパネルは、横方向６４０ドット、縦方向４８０ドットのＶＧＡ（Video Graphics Array）サイズが適用されるようになされている。
【００１６】
中央処理ユニット３は、この携帯電話１の各部の動作を制御するコンピュータの一部であり、ランダムアクセスメモリ（ＲＡＭ）１４にワークエリアを確保してリードオンリメモリ（ＲＯＭ）１５に格納されたプログラムを実行することにより、キー１２の操作等に応動して全体の動作を制御する。
【００１７】
この制御において、中央処理ユニット３は、バッテリ９の残量に応じて、自発光型による表示部１０について表示領域の大きさを可変し、これにより視認性の劣化を防止して残り少なくなったバッテリ９を長もちさせるようになされ、さらにはこの表示領域の大きさの可変によりバッテリの残量をユーザーに通知するようになされている。また表示部１０に表示する内容に応じて、この大きさの可変する方向を切り換え、これによっても一段と視認性の劣化を防止するようになされている。
【００１８】
すなわち図１は、この表示に係る中央処理ユニット３の処理手順を示すフローチャートである。中央処理ユニット３は、ユーザーによるキー１２の操作に応動して、また送受信回路２で検出される着信等により、表示部１０に各種のメニュー、通話対象の番号等を表示する。このような表示の際に、中央処理ユニット３は、この図１に示す処理手順を実行する。すなわち中央処理ユニット３は、この処理手順を開始すると、ステップＳＰ１からステップＳＰ２に移り、バッテリ９の残量は充分か否か判断する。ここで肯定結果が得られると、中央処理ユニット３は、ステップＳＰ２からステップＳＰ３に移り、表示部１０の表示可能領域の全領域を表示領域に設定した後、ステップＳＰ４に移ってこの処理手順を終了する。
【００１９】
これにより中央処理ユニット３は、この表示が着信によるものの場合、図３（Ａ）に示すように、着信に係る通話対象の電話番号等の表示を横書きにより、表示部１０の表示可能領域ＡＲ１の全面に表示するようになされている。また図４（Ａ）に示すように、この表示が住所録の表示に係るものの場合、表示部１０の表示可能領域ＡＲ１の全面に横書きにより住所録に登録された個人名等を表示し、さらには各個人の個人情報を表示するようになされている。またこの表示が電子メールの表示に係るものの場合、図５（Ａ）に示すように、表示可能領域ＡＲ１の全面に横書きによる電子メールの内容を表示し、またこの表示がいわゆる電子書籍に係る日本語による小説等の場合、表示可能領域ＡＲ１の全面に縦書きにより内容を表示する。また図７（Ａ）に示すように、この表示がリードオンリメモリ１５に記録された地図データに係る表示の場合、さらには送受信回路２でインターネットに接続して取得した地図、画像の場合、撮像部８で撮像した撮像結果の場合、表示可能領域ＡＲ１の全面にこれら地図等を表示する。
【００２０】
これに対してバッテリ９の残量が少ない場合、中央処理ユニット３は、ステップＳＰ２で否定結果が得られることにより、ステップＳＰ２からステップＳＰ５に移る。ここで中央処理ユニット３は、表示対象が横書きの表示内容か否か判断し、ここで肯定結果が得られると、ステップＳＰ６に移る。
【００２１】
ここで中央処理ユニット３は、バッテリ９の残量に応じて縦方向に、表示部１０の表示可能領域ＡＲ１に対して、表示領域ＡＲ２を縦方向に縮小する。またこの縮小に対応するように、操作子の操作によりこの表示領域ＡＲ２に表示するカーソルの移動範囲を設定し、ステップＳＰ４に移る。
【００２２】
これにより着信があった場合に、バッテリ９の残量が少ない場合、図３（Ａ）との対比により順次バッテリ９の残量が減少した状態を図３（Ｂ）、（Ｃ）に示すように、中央処理ユニット３は、全画面により表示する場合に比して、表示領域ＡＲ２を縦方向に順次段階的に減少させ、またこの表示領域ＡＲ２の減少に対応するように、優先順位の低い項目により表示対象を削除して、この表示領域ＡＲ２によりこの表示に係る内容をユーザーに通知する。しかしてこの場合、最も表示領域ＡＲ２を減少させた状態で、着信に係る通話対象を特定する情報（この場合は電話番号であり、この電話番号が住所録に登録されている場合には、登録された個人名）を表示するようになされている。
【００２３】
また住所録を表示する際にバッテリ９の残量が少ない場合、図４（Ａ）との対比により順次バッテリ９の残量が減少した状態を図４（Ｂ）、（Ｃ）に示すように、この場合も、表示領域ＡＲ２を縦方向に順次段階的に減少させ、またこの表示領域ＡＲ２の減少に対応するように、優先順位の低い項目より表示対象を削除して、この表示領域ＡＲ２によりこの表示に係る内容をユーザーに通知する。しかしてこの場合、最も表示領域ＡＲ２を減少させた状態で、住所録の各項目を表示するようになされ、ユーザーによるスクロールの操作に応動して、表示中の項目の上下の項目に表示を切り換えるようになされている。
【００２４】
また電子メールを表示する際にバッテリ９の残量が少ない場合、図５（Ａ）との対比により順次バッテリ９の残量が減少した状態を図５（Ｂ）、（Ｃ）に示すように、この場合も、表示領域ＡＲ２を縦方向に順次段階的に減少させ、またこの表示領域ＡＲ２の減少に対応するように、優先順次の低い項目により表示対象を削除して、この表示領域ＡＲ２によりこの表示に係る内容をユーザーに通知する。しかしてこの場合、最も表示領域ＡＲ２を減少させた状態で、全画面に係る表示の１行分を表示するようになされ、ユーザーによるスクロールの操作に応動して、この表示の上下の行に表示を切り換えるようになされている。
【００２５】
中央処理ユニット３は、このように表示領域ＡＲ２を縮小して余る領域（図３〜図５においてハッチングにより示す領域）については、黒レベルの画素値により画像データを出力して表示を中止するようになされ、これにより自発光に係る表示部１０において、表示領域ＡＲ２を縮小した分、電力消費を低減してバッテリ９を長もちさせるようになされている。
【００２６】
これに対してステップＳＰ５で否定結果が得られると、中央処理ユニット３は、ステップＳＰ５からステップＳＰ７に移る。ここで中央処理ユニット３は、表示対象が縦書きの表示内容か否か判断し、ここで肯定結果が得られると、ステップＳＰ８に移る。
【００２７】
ここで中央処理ユニット３は、バッテリ９の残量に応じて横方向に、表示部１０の表示可能領域ＡＲ１に対して、表示領域ＡＲ２を縮小する。またこの縮小に対応するように、操作子の操作によりこの表示領域ＡＲ２に表示するカーソルの移動範囲を設定し、ステップＳＰ４に移る。
【００２８】
これにより中央処理ユニット３は、電子書籍に係る日本語による小説等を表示する際にバッテリ９の残量が少ない場合、図６（Ａ）との対比により順次バッテリ９の残量が減少した状態を図６（Ｂ）、（Ｃ）に示すように、表示領域ＡＲ２を順次段階的に横方向に減少させ、またこの表示領域ＡＲ２の減少に対応するように、優先順位の低い項目より順次表示対象を削除して、この表示領域ＡＲ２によりこの表示に係る内容をユーザーに通知する。しかしてこの場合、中央処理ユニット３は、併せて最上段に表示した小説のタイトルについて、表示を中止し、最も表示領域ＡＲ２を減少させた状態で、全画面に係る表示の２行分を表示するようになされ、ユーザーによるスクロールの操作に応動して、この表示の左右行に表示を切り換えるようになされている。またこの場合も中央処理ユニット３は、表示領域ＡＲ２を縮小して余る領域（図６においてハッチングにより示す領域）については、黒レベルの画素値により画像データを出力して表示を中止し、その分、電力消費を低減してバッテリ９を長もちさせるようになされている。
【００２９】
これに対してステップＳＰ７で否定結果が得られると、中央処理ユニット３は、ステップＳＰ７からステップＳＰ９に移る。ここで中央処理ユニット３は、バッテリ９の残量に応じて縦方向及び横方向に、表示可能領域ＡＲ１の中央部分に向かって、表示領域ＡＲ２を縮小する。また縮小に対応するように、操作子の操作によりこの表示領域ＡＲ２を可変するようにカーソルの移動範囲を設定し、ステップＳＰ４に移る。
【００３０】
すなわち中央処理ユニット３は、この表示に係る内容が地図、撮像結果の場合、図７（Ａ）との対比により順次バッテリ９の残量が減少した状態を図７（Ｂ）、（Ｃ）に示すように、画面の中央方向に向かって縦方向及び横方向の双方より順次段階的に表示領域ＡＲ２を減少させ、またこの表示領域ＡＲ２の減少に対応するように、優先順序低い順序により表示対象を削除して、この表示領域ＡＲ２によりこの表示に係る内容をユーザーに通知する。しかして図７の例の場合、中央処理ユニット３は、併せて最上段に表示した地名の表記について、表示を中止し、最も表示領域ＡＲ２を減少させた状態で、例えば現在地点等の特定地点の周囲所定範囲の地図を表示するようになされている。
【００３１】
また図７（Ｃ）との対比により図７（Ｃ１）、（Ｃ２）に示すように、それぞれスクロールの操作子の操作に応動して、この表示に供する領域ＡＲ２を上下左右に可変し、これにより表示を中止した領域に本来表されるべき内容を確認できるようにする。
【００３２】
またこの場合にも、中央処理ユニット３は、表示に供する領域ＡＲ２を縮小して余る領域（図７においてハッチングにより示す領域）については、黒レベルの画素値により画像データを出力して表示を中止し、その分、電力消費を低減してバッテリ９を長もちさせるようになされている。
【００３３】
（２）実施例の動作
以上の構成において、この携帯電話１では（図２）、送受信回路２により着信が検出されると、中央処理ユニット３による表示部１０の制御により、着信に係る相手の電話番号等が表示される（図３（Ａ））。またキー１２の操作による中央処理ユニット３の制御により回線接続処理が実行され、スピーカ５、マイク６を介して通話対象と通話可能となる。
【００３４】
これに対してユーザーによるキー１２の操作により住所録の表示が指示された場合、メモリに記録された住所録の情報による中央処理ユニット３の制御により、表示部１０で住所録が表示され（図４（Ａ））、またキー１２の操作によりユーザーがスクロールを指示すると、この表示がスクロールされる。またこのような住所録の表示によりユーザーが個人名を選択すると、詳細な個人情報が表示され、この表示におけるユーザーの選択に応動して発呼の処理が実行され、また電子メールの送信に係る一連の処理が実行される。
【００３５】
またこのようにして送信した電子メール、さらには送受信回路２を介して受信した電子メールの表示がユーザーにより指示されると、中央処理ユニット３の表示部１０の制御により、ユーザーにより選択された電子メールが表示部１０に表示される（図５（Ａ））。またユーザーが電子書籍の表示を指示した場合、地図、撮像結果の表示を指示した場合、同様に、表示部１０にこれらが表示される（図６及び図７）。
【００３６】
これらの表示において、この携帯電話１では、中央処理ユニット３によるバッテリ９の残量が検出され、この残量検出結果によりバッテリ９の残量が充分な場合、表示部１０の表示可能領域ＡＲ１の全領域を用いてこれら住所録等が表示される。
【００３７】
これに対してバッテリ９の残量が少ない場合には、表示手段である表示部１０の表示可能領域ＡＲ１より表示に供する表示領域ＡＲ２を縮小させて、これら住所録等が表示される（図３〜図７）。
【００３８】
しかしてこの携帯電話１では、各画素が自ら発光して画像を表示する形式の表示装置であるＥＬによりこれらの表示が形成されることにより、このような表示領域ＡＲ２の大きさに応じて表示部１０の消費電力が変化し、この実施例のように、バッテリ９の残量の減少により、画像の表示に供する表示領域ＡＲ２を縮小させれば、その分、全体の消費電力を少なくしてバッテリを長もちさせることができる。また部分的に表示を中止することにより、表示領域ＡＲ２においては、何ら明るさの低下等を防止し得、これにより視認性の劣化を有効に回避することができる。
【００３９】
特に、バッテリ９の残量の減少により、表示領域ＡＲ２を順次段階的に縮小させることにより、バッテリ９の残量が残り少なくなればなる程、消費電力を少なくすることができ、一段とバッテリを長もちさせることができ、これによりいよいよバッテリ９の残量が心細くなった場合にあっても、例えば重要な連絡等を確実に受け取ることができ、これにより従来に比してユーザーの使い勝手を向上することができる。
【００４０】
またこのような表示領域ＡＲ２の縮小が、表示する内容に応じて縦方向に、又は横方向に、さらには縦方向及び横方向に縮小されることにより、表示領域ＡＲ２の減少によるユーザーの使い勝手の劣化を実用上十分に防止することができる。
【００４１】
すなわち例えば横書きによる着信の表示（図３）、住所録の表示（図４）、電子メールの表示（図５）においては、縦方向に表示領域を縮小することにより、横書きに対応する横方向に細長い形状に表示領域ＡＲ２を縮小してユーザーによる使い勝手の劣化が防止される。また縦書きによる電子書籍の表示においては（図６）、横方向に表示領域を縮小することにより、縦書きに対応する縦長の形状に表示領域ＡＲ２を縮小してユーザーによる使い勝手の劣化が防止される。またこのような縦書き、横書き等による方向性のない地図、撮像結果等の表示においては（図７）、縦方向及び横方向からの縮小により表示領域を縮小することにより、ユーザーによる使い勝手の劣化が防止される。
【００４２】
またこのようにして中央処理ユニット３では、スクロールに係る範囲がこれらの表示領域ＡＲ２に対応するように設定され、これにより例えば住所録、電子メールの閲覧において、何ら表示領域ＡＲ２を縮小しない場合と同様の使い勝手により表示内容をスクロールさせて内容を確認することができる。
【００４３】
これに対して地図等の表示においては、スクロールの操作により表示領域ＡＲ２を移動させ、これにより当初設定された表示領域ＡＲ２より外側の領域の表示内容を把握して、地図の全体表示等を確認することができる。
【００４４】
（３）実施例の効果
以上の構成によれば、各画素が自ら発光して画像を表示する形式による表示手段を適用して、バッテリの残量の減少により、表示手段における表示可能領域より画像の表示に供する表示領域を縮小させることにより、視認性の劣化を有効に回避して、バッテリを長もちさせることができる。またユーザーにおいては、この表示領域ＡＲ２の大きさによりバッテリの残量を把握することができる。
【００４５】
またこの表示領域の縮小が、表示に供する画像の内容に応じた横方向又は縦方向の縮小であることにより、表示領域を縮小したことによる使い勝手の劣化を防止することができる。
【００４６】
すなわち画像が横書きによる画像である場合に、表示領域の縮小が縦方向の縮小であることにより、横書きによる電子メール等を横長の画面により表示して表示領域を縮小したことによる使い勝手の劣化を防止することができる。
【００４７】
また表示領域の縮小が横方向及び縦方向の縮小である場合には、操作子の操作に応動して表示領域を可変することにより、例えば地図等の表示に適用して、表示領域を縮小したことによる使い勝手の劣化を防止することができる。
【実施例２】
【００４８】
この実施例においては、図３〜図７について上述した表示領域ＡＲ２の縮小において、併せて表示に供するフォントを縮小する。なおこの実施例においては、このフォントの処理に係る構成を除いて実施例１に係る携帯電話１と同一に構成される。
【００４９】
これによりこの実施例においては、表示領域ＡＲ２を縮小してもユーザーに提供する情報量の減少を防止するようになされている。
【００５０】
この実施例によれば、表示領域の縮小に対応して表示に供するフォントを縮小することにより、ユーザーに提供する情報量の減少を防止して、実施例１と同一の効果を得ることができる。
【実施例３】
【００５１】
なお上述の実施例においては、有機ＥＬにより表示手段を形成する場合について述べたが、本発明はこれに限らず、各画素が自ら発光して画像を表示する形式による表示手段を適用する場合に広く適用することができる。
【００５２】
また上述の実施例においては、本発明を携帯電話に適用する場合について述べたが、本発明はこれに限らず、ＰＤＡ、電子スチルカメラ、ビデオカメラ、ノートパソコン等、バッテリにより動作し、かつ表示手段を有する各種の電子機器に広く適用することができる。
【産業上の利用可能性】
【００５３】
本発明は、携帯電話、ＰＤＡ、電子スチルカメラ、ビデオカメラ等に適用することができる。
【図面の簡単な説明】
【００５４】
【図１】本発明の実施例１に係る携帯電話における中央処理ユニットの処理手順を示すフローチャートである。
【図２】本発明の実施例１に係る携帯電話を示すブロック図である。
【図３】図２の携帯電話における着信の表示を示す平面図である。
【図４】図２の携帯電話における住所録の表示を示す平面図である。
【図５】図２の携帯電話における電子メールの表示を示す平面図である。
【図６】図２の携帯電話における電子書籍の表示を示す平面図である。
【図７】図２の携帯電話における地図の表示を示す平面図である。
【符号の説明】
【００５５】
１……携帯電話、２……送受信回路、３……中央処理ユニット、９……バッテリ、１０……表示部
【図１】
2005055791.tif 000003
【図２】
2005055791.tif 000004
【図３】
2005055791.tif 000005
【図４】
2005055791.tif 000006
【図５】
2005055791.tif 000007
【図６】
2005055791.tif 000008
【図７】
2005055791.tif 000009